(57)【要約】【課題】断面積が大きくてエネルギ密度の小さい電子ビームパルスを照射する表面改質は、複数回の電子ビームの繰返し照射で行なわれていたが、処理表面にクレータの形成とブツブツの発生があり面質を悪くしていた。【解決手段】表面改質を出来るだけ１回の電子ビームパルスの発生、照射により行なう。追加ないしはそれ以上の繰返しの電子ビームの照射が必要な場合、真空ハウジング内に清浄用気体を噴射導入し、扇開閉等を併用してハウジング内の環境コンディショニングを行ない、電子ビームの発生操作に移行させる。１回か２回の電子ビームの照射で表面改質が終了すると予想されるケースでは、ハウジングに対して第１及び第２の電子銃部を並設しておき、第１の電子銃部による電子ビーム照射で表面改質が充分でない場合、被照射体を直ちに第２の電子銃部の位置に移動させると共に電源を切換えて電子ビームを照射させる。【選択図】図１
2006344387.tif 000002
【特許請求の範囲】
【請求項１】
被照射体に電子ビームパルスを放射して前記被照射体の表面を改質する電子ビーム表面改質方法において、前記被照射体に１発の電子ビームパルスを照射する毎に低圧被電離気体を清浄な気体に入れ替えて照射空間を前記電子ビームパルスを照射する前の雰囲気環境にコンディショニングして次の電子ビームパルスを照射することを特徴とする表面改質方法。
【請求項２】
電界放射カソードと、アノードプラズマ生成環状アノード電極と、前記電界放射カソードからの電子ビームを受ける被照射体を設置するテーブルとを一軸上に備えると共に被電離気体を収縮するハウジング内に設けられ、該ハウジング内に磁場を形成するソレノイドが設けられる電子銃であって、前記ソレノイドが磁場を形成してからアノードプラズマを生成させ、更に電界放射カソードとテーブルとの間に高い負の電圧パルスを加速電圧として印加してアノードプラズマを通路とする電子ビームのパルスを生成、放射して前記被照射体の表面を処理する表面改質方法において、
前記第１回目の電子ビームパルスの照射の後被照射体表面の同一の領域、一部に同一の領域を含む隣接領域、又は同一領域を含まない別異の被照射体を含む新規領域に対して第２回目以後の各回の電子ビームパルスの照射を行なうとき、
前記ハウジング内又は少なくとも電子銃部のハウジング内の低圧被電離気体を新しい前記被電離気体を含む清浄用気体の供給により入れ替えた後、所定低圧状態に真空引きする照射空間の雰囲気環境のコンディショニングを行なうことを特徴とする表面改質方法。
【請求項３】
入れ替え清浄用気体のハウジング内への噴射供給を、ハウジング内の前記一軸方向の一端側の内周から他端側の気体の排出口へと電子銃内を縦方向に流動するように噴射される入替手段を有する電子ビームパルスの照射毎にハウジング内を清浄化することを特徴とする請求項２記載の表面改質方法。
【請求項４】
前記被電離気体の入れ替えのために真空ハウジング内に新しい被電離気体を含む清浄用気体を噴射供給するとき、前記真空ハウジングの被照射体の出し入れ口の扇を同期して一時的に開放するとことを特徴とする請求項２に記載の表面改質方法。
【請求項５】
電界放射カソードと、アノードプラズマ生成環状アノード電極と、前記電界放射カソードからの電子ビームを受ける被照射体を設置するテーブルとを一軸上に備えるとき共に被電離気体を収納するハウジング内に設けられ、該ハウジング内に磁場を形成するソレノイドが設けられる電子銃であって、前記ソレノイドが磁場を形成してからアノードプラズマを生成させ、更に電界放射カソードとテーブルとの間に高い負の電圧パルスを加速電圧として印加してアノードプラズマを通路とする電子ビームのパルスを生成、放射して前記被照射体の表面を処理する表面改質において、
前記第１回目の電子ビームパルスの放射の後被照射体表面の同一の領域、一部に同一の領域を含む隣接領域、又は同一領域を含まない別異の被照射体を含む新規領域に対して、第２回目以後の各回の電子ビームパルスの照射を短い時間間隔を置いて行なう表面改質方法は、
前記被照射体が前記電子ビームパルスの照射軸と直交する少なくとも一軸方向に電子銃に対して相対的に位置決め移動可能に設けられると共に、前記一軸方向に前記電子銃に対して第２の電子銃が所定の間隔を置いて設けられ、
前記被照射体に対する第２回目以後の電子ビームパルスの照射は、第１の電子銃に対して前記一軸方向に並設された第２以後の電子銃の位置に被照射体を順次に位置決め移動させて行なうようにして為されるものであることを特徴とする表面改質方法。
【請求項６】
前記第２以後の電子銃に対するソレノイド励磁電源、アノードプラズマ生成電源、及びカソード印加加速電圧電源は前記第１の電子銃に対して設けられた各電源がその都度スイッチにより切換えられて使用される請求項５記載の表面改質方法。
【請求項７】
電界放射カソードと、アノードプラズマ生成環状アノード電極と、前記電界放射カソードからの電子ビームを受ける被照射体を設置するテーブルとを一軸上に備えると共に被電離気体を収縮するハウジング内に設けられ、該ハウジング内に磁場を形成するソレノイドが設けられる電子銃であって、前記ソレノイドが磁場を形成してからアノードプラズマを生成させ、更に電界放射カソードとテーブルとの間に高い負の電圧パルスを加速電圧として印加してアノードプラズマを通路とする電子ビームのパルスを生成、放射して前記被照射体の表面を処理する表面改質装置において、
前記電子銃の一軸方向のカソード設置端部とテーブル周り近傍との一方または両方に、気体の噴射孔と吸入孔の一方を円弧に沿って有するパイプの環状体が１つまたは２つが対向して配置され、噴射孔を有する環状体が被電離気体を含む清浄用気体供給装置に噴射開閉バルブを介して接続されるのに対し前記吸入孔を有する環状体が排気開閉バルブを介して排気ポンプに接続され、電子ビームパルスの照射後に前記噴射開閉バルブの操作が制御されるものであることを特徴とする表面改質装置。
【請求項８】
電界放射カソードと、アノードプラズマ生成環状アノード電極と、前記電界放射カソードからの電子ビームを受ける被照射体を設置するテーブルとを一軸上に備えると共に被電離気体を収縮するハウジング内に設けられ、該ハウジング内に磁場を形成するソレノイドが設けられる電子銃であって、前記ソレノイドが磁場を形成してからアノードプラズマを生成させ、更に電界放射カソードとテーブルとの間に高い負の電圧パルスを加速電圧として印加してアノードプラズマを通路とする電子ビームのパルスを生成、放射して前記被照射体の表面を処理する表面改質装置において、
前記被照射体を前記電子ビームパルスの照射軸と直交する少なくとも一軸方向に前記電子銃に対し相対的位置決め移動可能に真空ハウジング内に設けられると共に、前記一軸方向に前記電子銃に対して第２の電子銃が所定の間隔を置いて設けられ、前記第１の電子銃による電子ビームパルスの照射後に引き続いて電子ビームパルスの照射が指令されたとき、テーブルを被照射体が第２の電子銃の電子ビームパルスの照射を受ける位置に位置決め移動させる制御回路が設けられていることを特徴とする表面改質装置。
【発明の詳細な説明】
【技術分野】
【０００１】
本発明は、各種金属部品、金型、工具、電気接続部品、金属医療機器、金属装飾品などの表面を鏡面化、清浄化、アモルファス化、耐食化するために電子ビームを表面に照射して表面改質をおこなう方法及び該方法を好適に行なう装置に関する。
【背景技術】
【０００２】
この技術は断面積１０ｃｍ２以上、低エネルギ１０〜５０ｋＶ、高電流１０〜３０ｋＡの電子ビームを用いて表面の改質を行なうもので、従来の真空電子銃による高密度の電子ビームではなく、電離ガスプラズマ中を通過する低いエネルギの電子ビームを用いるので物質に照射されたとき、深溶け込みなどの深く加工作用することがなく、広い面積に一様な作用をあたえるので表面の改質に利用される。ここでいう改質とは、物質表面に付着する異物の除去、浄化、表面あらさの改善、微視的凹凸を平坦化して鏡面となすこと、急激な加熱と冷却による金属のアモルファス化、耐食化などである。
【０００３】
この技術は一種の電子銃であるが真空室ではなく低圧の電離ガスが充填されプラズマ化されているのでプラズマ電子銃ともよばれている。このプラズマを安定に保つために反射放電（Reflected Discharge）方式という円環状のアノードプラズマ生成用の陽極が設けられ、電子銃の外部にソレノイドが設けられて銃内空間に磁場を作る。
【０００４】
この装置の電子ビーム発射機構は電界放射カソードとしてチタン等の針金を束ねて円板状に形成した金属または黒鉛が用いられ、被照射体がターゲット陽極になる。両極間に１０〜４０ｋＶの高圧コンデンサにより加速用の高電圧印加と放電を発生させてμｓ程度の短い電子ビームパルスを放射させる。プラズマ発生回路は前記の環状陽極と電子銃筐体との間にコンデンサ充放電によるグロー放電を作り電離ガスをプラズマ化する。プラズマ保持時間は数１００μｓでその時間内に前記高電圧の印加による電子ビームパルスの放射が行なわれる。プラズマ保持時間の前後を通じ電子銃内に磁場をつくるための前記ソレノイドを励磁する電源としてまた別のコンデンサ充放電回路が備えられている。
【０００５】
表面改質をする被照射体をターゲットとしてテーブルに設置し電子銃内を一旦真空にしてから電離ガス、たとえばＡｒガスを低圧に充填し磁場形成、プラズマ形成、電子ビーム発射の順序で作動させると被照射体の表面が改質される。通常は一回の照射では不充分なので数回から数１０回の照射を約１０ｓ程度以内の時間間隔で繰り返し行なってから真空ハウジングを開放して被照射体を取り出す。
【０００６】
被照射体の材質、成分組成、表面積、改質前の状態などによって照射条件を選ぶ必要があるが、条件の選定の数式がある訳ではないので実験の結果とか経験に依存されている。常識的な判断として溶解温度の高い材質には大きいエネルギで、低い材質には小さいエネルギで照射することになる。放射エネルギが変わる条件とは、１）前記加速用高電圧印加のカソード電圧  ２）カソードとターゲット間の距離  ３）電離ガス圧力の３条件が通常用いられる。これらの条件は全体装置を制御運用するシステムの指令手段で調整できるように構成されている。
【０００７】
図３は従来例の一例の概略全体構成図で、１はハウジング、６は環状アノード電極、８は前述カソード、Ｓは電子銃内加速空間、５は励磁ソレノイド、１４はターゲットとして被照射体１２を設置するテーブルである。一点破線部１−１以下の函体部分１Bには図示しないテーブル移動機構などが設けられる。電子銃１Ａを含むハウジング１内の電離ガスの調整システムとしてスクロールポンプ２、ターボ分子ポンプ３が、流量調整弁２Ａ、３Ａを介して連結され、さらに図示しない圧力センサとともに作動する。室内は一旦真空状態とした後ボンベ１５からバルブ４を介して希ガス、例えばＡｒを充填し所定低気体圧状態に保たれる。
【０００８】
改質装置には最初に作動して電子銃室１Ａ内にソレノイド５により磁場を作る励磁電源１６、次に作動して環状陽極６付近にアノードプラズマ７を生成するコンデンサ充放電回路を含むパルス電源１７、そしてアノードプラズマ７を通過する電子ビーム１１を放射して改質作用を実行するビーム加速電源であってコンデンサ充放電回路で構成されるパルス電源１８が備えられている。それぞれの電源は独立しており、絶縁物６Ａ、８Ａによりハウジング１から絶縁されている。
【０００９】
表面改質の目的は表面の粗さの改善、鏡面化、清浄化、アモルファス化、耐食化など多様であるし、また材質も多様である。従って前述の三つの条件を適正に選択することが困難である。放射された電子ビームの相当部分が散逸し被照射体１２に吸収される割合は一定ではないから結果としての効果も変わってしまうという欠点があった。被照射体１２と同じ条件で照射された結果のデータを持つことができなかったからである。
【００１０】
しかしながら、何れにしても斯種の電子ビームパルスの発生装置を使用して被照射体１２の表面改質を行なう手法としては、被照射体に、しかも通常被照射体の被照射表面領域に、前記電子ビームのパルスを１パルスではなく、５パルスとか、１０パルスとか、或いは３０パルス前後とか複数パルスを繰り返し照射する表面改質の手法が常態であり、さらにその複数回繰り返される電子ビームパルスの照射は、作業効率等の都合上、例えば、約１０ｓ前後の如く数１０ｓ以内の時間間隔で繰り返し行なわれるものであった（特許文献２−３、及び非特許文献１−２参照。）。
【００１１】
【特許文献１】特開平０９−２１６０７５号公報
【特許文献２】特開２００３−１１１７７８号公報
【特許文献３】特開２００４−１０８６号公報
【非特許文献１】宇野義幸、外４名「大面積パルス電子ビームによる金型の仕上げと表面改質」電気加工技術、社団法人電気加工学会、平成１５年６月、第２７卷、第８６号、ｐ．１２−１７、
【非特許文献２】藪下法康、外４名「大面積電子ビームによる金型加工面仕上げに関する研究（第２報）」一傾斜面平滑化特性と表面改質効果―電気加工学会全国大会（２００３）講演論文集  社団法人電気加工学会、平成１５年１２月、ｐ．４７−５０、
【非特許文献３】G.E.OZUR外３、Production and application of low -energy,high-current electron beams, Laser and Particle Beams (2003), 21,157-174, Printed in the USA.
【発明の開示】
【発明が解決しようとする課題】
【００１２】
そして、従来は、上述のような表面改質の処理操作に依って得られた被処理済み被照射体を、表面改質が短時間で効率良く為されたものとして満足していたのであるが、かかる使用の用の供されている内に、表面改質の質の面、特に表面粗さのより微細化への改善や全体的に均一な粗さや鏡面化の程度等に対する要求が高かまって来ていた。そして、特に被照射面に１つまたは不定に分散して形成される直径がφ０．１〜５０μｍ程度で、深さが、直径の１／１０前後程度の所謂クレータ（crater：噴火口又は砲弾の落下爆発穴）及び、ほぼ全面に多数形成される凹凸状の所謂ツブツブの排除要請が厳しく為されるようになって来ているのが現状である。
【００１３】
しかるに、このクレータの生成の原因及びメカニズムについては、種々推定されているものの、未だ殆んど正確な解明が為されていないのが実情で、之が排除には未だ成功していないのである。しかして、従来は、前述クレータが生成すると、以後の繰り返しの電子ビームパルスの照射により消し去るか、何等かの、繰り返しの電子ビーム照射による仕上げ加工的手法により矮小化乃至は微小化せんものとして対応していたのであるが、前述一旦生成したクレータは、前述後続の繰り返しの電子ビームパルスの照射体によって消失すると言うことは殆んど無く、困窮していたものである。
【００１４】
然るに、本発明者等は鋭意研究開発を続けた結果、前記クレータの被照射体被照射面への生成乃至は生起が前述の電子ビームのパルスが繰り返し照射される場合の概して２パルス目以後で、比較的照射パルス数の少ない内であること、また照射電子ビームパルスのエネルギや被照射体の材質等との組み合わせ関係等によるが、照射を繰り返すと概してクレータの発生数が多くなる傾向にあることを検知し得た。
【００１５】
そこでさらに検討を加えた所、本発明者等は、被照射体の表面改質を、前述クレータを殆んど例外的にしか発生させることなく実行することに成功したことにより本発明が提案される。即ち、前記クレータの生成が前述電子ビームパルスの比較的短時間の間隔での繰り返し照射に起因していると思考されること、従って逆に、電子ビームパルスを繰り返し照射する場合には、前述従来の数１０ｓ前後以内に対し、逆に数ｍｉｎ前後又はそれ以上の長い時間間隔の後とすることにより前記クレータの生成を免れ得る可能性が高いことが判ったものである。
【００１６】
この電子ビームパルスの繰り返し照射に於ける現象を別の観点より見ると、各回の電子ビームパルスの照射を独立させて、電子ビームパルスの生成領域の空間環境を、前の電子ビームの照射の時の各種イオンや微粒粉塵等が残存しない清浄な未照射の初期状態に設定して行なうことにより、クレータの生成を回避して繰り返し照射が可能となるものである。
【００１７】
即ち、真空ハウジング内の空間、特に電子銃内の電子ビームの加速飛翔経路及びその近傍周りの環境は、電離気体の圧力（ガス密度）が所定の低圧の同一値であるとしても、真空ハウジング内に一旦新しいアルゴンガス等を供給した後所定圧力に真空引きした状態のときと、その後常用手段によって電子ビームのパルスを発生照射させ、そして続いて次の電子ビームのパルスを発生照射させるためにハウジング内の気体圧力が所定の圧力状態であるように真空引きコントロールをしているときとでは、各電極材やガス材成分のイオンや分子、その他微粒子等が加熱等されて残存しているだけでなく、その残存状態は電子銃部１Ａ内に於いて、不定の偏在状態となっている蓋然性が高く、このため、前の電子ビームパルスの照射後、数１０ｓ前後またはそれ以内と言う短い時間間隔の後に発生照射させられる後続の電子ビームのパルスは、その断面の各部に電子密度の疎密や偏密度状態等が生じた状態で照射されていたものと考えられるのである。
【００１８】
そしてこのことは、現に上述した後続の電子ビームパルスの照射等のときのコンデンサ充放電電源１８による冷陰極カソード８と被照射体１２設置テーブルターゲット１４間への印加加速電圧が、所望の高電圧に迄充分立ち上がらないで、放電している状態が見受けられ、該放電の電子ビームが、電子ビーム成分中にアーク放電電流が生じているのではないかと思われることからも伺えるものである。
【００１９】
そこで本発明は、環状陽極使用のアノードプラズマを通路として放射される断面積の大きい電子ビームのパルスを照射して行なう被照射体の表面改質を、被照射面にどちらかと言えば大きいクレータ（又は穴）を散在生成させることなく、又は、さらに前記クレータと比較すると小さい多数のツブツブ（微少凹凸）を生成させることなく行なうこと、そして行なうことが出来る装置を得ることを目的とするものである。
【００２０】
しかして、既に上述したところによれば、可能ならば、只１回の電子ビームパルスの発生照射により被照射体に目的とする表面改質をするようにすることであり、また、被照射体の同一の箇所か一部に同一の箇所を含む隣接または周辺領域、さらには離隔した隣接領域等の電子ビーム照射による表面改質を行う必要がある場合には、第１回目の電子ビームパルスの照射から充分に長い相当の時間を置いて、または場合によっては真空ハウジングの被照射体の出し入れ口の扉を開いて内部のガスを入れ替え、または前記扉は閉じたまま内部にガスを注入、排出により入れ替えた後、所定の低ガス圧状態にまで真空引きした後、後続の電子ビームパルスの発生、照射に移行させること等が考えられるが、何れも甚だ効率が悪く、現実的でないものである。
【課題を解決するための手段】
【００２１】
前述の本発明の目的は、要するに、（１）被照射体に電子ビームパルスを断続的に放射して前記被照射体の表面を改質する電子ビーム表面改質方法において、前記被照射体に１発の電子ビームパルスを照射する毎に低圧被電離気体を清浄な気体に入れ替えて照射空間を前記電子ビームパルスを照射する前の雰囲気環境にコンディショニングして次の電子ビームパルスを照射することで達成される。より具体的には、（２）電界放射カソードと、アノードプラズマ生成環状アノード電極と、前記電界放射カソードからの電子ビームを受ける被照射体を設置するテーブルとを一軸上に備えると共に被電離気体を収縮するハウジング内に設けられ、該ハウジング内に磁場を形成するソレノイドが設けられる電子銃であって、前記ソレノイドが磁場を形成してからアノードプラズマを生成させ、更に電界放射カソードとテーブルとの間に高い負の電圧パルスを加速電圧として印加してアノードプラズマを通路とする電子ビームのパルスを生成、放射して前記被照射体の表面を処理する表面改質方法において、前記第１回目の電子ビームパルスの照射の後被照射体表面の同一の領域、一部に同一の領域を含む隣接領域、又は同一領域を含まない別異の被照射体を含む新規領域に対して第２回目以後の各回の電子ビームパルスの照射を行なうとき、前記ハウジング内又は少なくとも電子銃部のハウジング内の低圧被電離気体を新しい前記被電離気体を含む清浄用気体の供給により入れ替えた後、所定低圧状態に真空引きする照射空間の雰囲気環境のコンディショニングを行なう表面改質方法とすることにより達成される。
【００２２】
また、前述の本発明も目的は、（３）入れ替え清浄用気体のハウジング内への噴射供給を、ハウジング内の前記一軸方向の一端側の内周から他端側の気体の排出口へと電子銃内を縦方向に流動するように噴射される入替手段を有する電子ビームパルスの照射毎にハウジング内を清浄化する前記（２）に記載の表面改質方法とすることにより達成される。
【００２３】
また、前述の本発明の目的は、（４）前記被電離気体の入れ替えのために真空ハウジング内に新しい被電離気体を含む清浄用気体を噴射供給するとき、前記真空ハウジングの被照射体の出し入れ口の扇を同期して一時的に開放する前記（２）に記載の表面改質方法とすることにより達成される。
【００２４】
また、前述の本発明の目的は、（５）電界放射カソードと、アノードプラズマ生成環状アノード電極と、前記電界放射カソードからの電子ビームを受ける被照射体を設置するテーブルとを一軸上に備えるとき共に被電離気体を収納するハウジング内に設けられ、該ハウジング内に磁場を形成するソレノイドが設けられる電子銃であって、前記ソレノイドが磁場を形成してからアノードプラズマを生成させ、更に電界放射カソードとテーブルとの間に高い負の電圧パルスを加速電圧として印加してアノードプラズマを通路とする電子ビームのパルスを生成、放射して前記被照射体の表面を処理する表面改質において、前記第１回目の電子ビームパルスの放射の後被照射体表面の同一の領域、一部に同一の領域を含む隣接領域、又は同一領域を含まない別異の被照射体を含む新規領域に対して、第２回目以後の各回の電子ビームパルスの照射を短い時間間隔を置いて行なう表面改質方法は、前記被照射体が前記電子ビームパルスの照射軸と直交する少なくとも一軸方向に電子銃に対して相対的に位置決め移動可能に設けられると共に、前記一軸方向に前記電子銃に対して第２の電子銃が所定の間隔を置いて設けられ、前記被照射体に対する第２回目以後の電子ビームパルスの照射は、第１の電子銃に対して前記一軸方向に並設された第２以後の電子銃の位置に被照射体を順次に位置決め移動させて行なうようにして為される表面改質方法とすることにより達成される。
【００２５】
また、前述の本発明の目的は、（６）前記第２以後の電子銃に対するソレノイド励磁電源、アノードプラズマ生成電源、及びカソード印加加速電圧電源は前記第１の電子銃に対して設けられた各電源がその都度スイッチにより切換えられて使用される前記（５）に記載の表面改質方法とすることにより達成される。
【００２６】
また、前述の本発明の目的は、（７）電界放射カソードと、アノードプラズマ生成環状アノード電極と、前記電界放射カソードからの電子ビームを受ける被照射体を設置するテーブルとを一軸上に備えると共に被電離気体を収縮するハウジング内に設けられ、該ハウジング内に磁場を形成するソレノイドが設けられる電子銃であって、前記ソレノイドが磁場を形成してからアノードプラズマを生成させ、更に電界放射カソードとテーブルとの間に高い負の電圧パルスを加速電圧として印加してアノードプラズマを通路とする電子ビームのパルスを生成、放射して前記被照射体の表面を処理する表面改質装置において、前記電子銃の一軸方向のカソード設置端部とテーブル周り近傍との一方または両方に、気体の噴射孔と吸入孔の一方を円弧に沿って有するパイプの環状体が１つまたは２つが対向して配置され、噴射孔を有する環状体が被電離気体を含む清浄用気体供給装置に噴射開閉バルブを介して接続されるのに対し前記吸入孔を有する環状体が排気開閉バルブを介して排気ポンプに接続され、電子ビームパルスの照射後に前記噴射開閉バルブの操作が制御される表面改質装置とすることにより達成される。
【００２７】
また、前述の本発明の目的は、（８）電界放射カソードと、アノードプラズマ生成環状アノード電極と、前記電界放射カソードからの電子ビームを受ける被照射体を設置するテーブルとを一軸上に備えると共に被電離気体を収縮するハウジング内に設けられ、該ハウジング内に磁場を形成するソレノイドが設けられる電子銃であって、前記ソレノイドが磁場を形成してからアノードプラズマを生成させ、更に電界放射カソードとテーブルとの間に高い負の電圧パルスを加速電圧として印加してアノードプラズマを通路とする電子ビームのパルスを生成、放射して前記被照射体の表面を処理する表面改質装置において、前記被照射体を前記電子ビームパルスの照射軸と直交する少なくとも一軸方向に前記電子銃に対し相対的位置決め移動可能に真空ハウジング内に設けられると共に、前記一軸方向に前記電子銃に対して第２の電子銃が所定の間隔を置いて設けられ、前記第１の電子銃による電子ビームパルスの照射後に引き続いて電子ビームパルスの照射が指令されたとき、テーブルを被照射体が第２の電子銃の電子ビームパルスの照射を受ける位置に位置決め移動させる制御回路が設けられている表面改質装置とすることにより達成されるものである。
【発明の効果】
【００２８】
前述の発明（１）、（２）によれば、被照射体の表面改質に電子ビームのパルスを続けて繰り返し照射することが予定されていた場合は勿論、電子ビームパルスの発生、照射を１回行なう丈で目的、効果を達すべきものと予定した所、改質処理の状況が充分でなく、追加の発生照射が必要となった場合にも、真空ハウジング内、特に電子銃内の電子ビーム１１の発生飛行路及び表面改質領域には、一旦被電離気体であっても良い清浄用気体が充満乃至は流動通過する状態に供給されて、その後に所定の真空に引かれるので、前記領域に偏在等して残存する各種のイオン、分子、微細粉塵等は除去され、その後続または追加電子ビームパルスの発生、照射が最初の時と同一の雰囲気、環境で行なわれるので、発生、照射される電子ビームは断面の各部におけるエネルギ密度がほぼ同一に揃った綺麗なもので、偏在集中や疎密、及びねじれ等がなく、被照射体表面に大きなクレータや、多数微小凹凸のツブツブ等を生ぜしめることなく表面改質をすることができる。
【００２９】
また、前述発明（３）及び（４）によれば、何れの場合にも清浄用気体の流動による前述各種イオンや粉塵の高速で、確実な除去、清掃が行なわれるので、本発明の目的、効果が効率良く達成されることになる。
【００３０】
また本発明（５）及び（６）によれば、前述の発明（２）−（４）における清浄用気体の噴射、噴流が、真空ハウジング内を大気圧以下の状態で行なえたとしても、次の電子ビームパルスの発生、照射のための所定の低気圧状態への真空引きには、通常１０分前後少なくとも数分以上の待ち時間を要するのであるが、最初の第１の電子銃による電子ビームパルスの照射後、被照射体を真空ハウジング内で第２の電子銃の位置へ移動させることにより、第２の電子ビームパルスを雰囲気、環境が綺麗な状態の電子銃から発生照射させることができるので、例えば、1回の電子ビームパルスの発生、照射を予定していたにもかかわらず、追加照射が必要になった場合等に素早く対応できて目的を達することができる。
【００３１】
また、本発明（７）は、前述本発明（１）−（４）を実施する装置であり、また本発明（８）は、前述本発明（５）−（６）を実施する装置であって、各方法の発明を好適に実行し得て目的を達するものである。
【発明を実施するための最良の形態】
【００３２】
図１は、本発明の一実施例装置の正断面図で、前述従来例の図３に符合するものであり、同一物または同等物には同一の符号を付してある。
図に於いて、被照射体１２を設置するテーブル１４は、電子ビーム１１のターゲットであって、１軸または２軸テーブル１９と共にリニアモータ等を有する水平１軸または２軸移動体に構成され、前記テーブル１４上には、前記ワークとしての被照射体１２が電子銃部１Ａからの電子ビームのパルス１１の照射が受けられる加工処理函体１Ｂ内の位置にセットするものである。なお、１Ｃは、真空ハウジング１を、後述のように必要に応じて自動で密閉、開放可能な被照射体１２の出し入れ口の扉である。
【００３３】
前記２軸移動体１９としては、前述の如く、例えば非磁性ステンレスによる密閉乃至シール可能なハウジングによりキャンドモータ化して構成された励磁コイルを有する１次側部材と、磁石片列を設けたヨーク材を有する２次側部材とを有する直流又は交流コアレスリニアモータを用い、機台に固定して設けたテーブルベース１９Ａと該テーブルベース１９Ａの上面に対し水平左右の一軸方向に直線に移動するように軸支してラム１９Ｂを設け、該ラム１９Ｂの下面に前記リニアモータの１次側部材と２次側部材の一方を可動子として取り付けるのに対し、前記テーブルベース１９Ａの上面に他方を固定子として取り付け、さらに必要に応じ、前記ラム１９Ｂの上面に水平前後方向に直線に移動するように軸支してテーブル１４を設け、該テーブル１４の下面に、前述一軸方向の場合と同様にリニアモータの1次側部材と2次側部材の一方を可動子として取り付けるのに対し、前記ラム１９Ｂの上面に他方を固定子として取り付ける構成とするとよい。
【００３４】
そして、前記２軸テーブル１９は、該テーブル１９を加工処理函体部１Ｂに取り付け支持する図示しないラック支柱と、加工処理函体部１Ｂ壁に気密に取り付けられたラック支柱を外部でＺ軸移動するように設けたモータ等の駆動源に連結されるピニオンギアとを有し、所要の被照射体１２の改質加工処理をする電子ビーム１１の被照射面が、電界放射カソード８前面から所要の照射距離ｈの位置にあるように昇降移動して位置決めされる。なお、電子ビームのパルス照射は、前記テーブル１４が兼用するターゲット１４とカソード８との間に、負の高い加速電圧を印加することにより照射が行なわれることになるが、電子銃部１Ａを含むハウジング１の全体が、前記ターゲット１４と同電位にあるよう接地線２６により、加工処理函体１Ｂに接続されている。
【００３５】
電子銃１Ａ内を所定電離気体圧状態で励磁して荷電粒子を閉じ込めるソレノイド５の励磁電源１６、該電源１６による電子銃１Ａ内の励磁が所定の指令値通りになるのを待って、アノード６とテーブル１４との間に電圧を印加するアノードプラズマを生成させる電源１７、そして環状アノード６廻りのアノードプラズマ７が所定の生成状態になったのを検知して電界放射カソード８とターゲット１４間にμｓオーダの短い負の加速電圧パルスを印加する電子ビーム１１の生成加速電源１８は夫々電源制御手段１６Ａ、１７Ａ、及び１８Ａを有し、該各制御手段は後述するＣＮＣ制御装置２２により制御及び駆動操作等される。
【００３６】
真空ハウジング１内の被電離気体としては、その種類及びその密度（圧力、ｐａ）等種々選定及び調整して使用されるが、希ガスとしてＡｒ等が使用され、ボンベ１５から流量調整弁４を介して供給が制御される被電離ガスのガス圧をスクロールポンプ２、及びターボ分子ポンプ３を組合せた減圧調整システムにより真空ハウジング１内のガス圧を０．０３〜０．１ｐａ程度の所定のガス圧に調整した状態で、前述の電源等の順次の操作により所望指令通りのエネルギ及びエネルギ密度を持った電子ビームパルスを発生させようとすることは従来と変わりないが、本発明はさらに、電子ビームパルスの照射が１発で済まず複数発の繰り返し照射が必要となった場合、或いは被照射体の材質と改質領域の大きさに対する使用改質装置の性能、仕様等の関係から、初めから複数回の電子ビームパルスの発生照射が予定される場合等に於いて、その何時の電子ビームパルスの発生、照射時にも、その発生、照射領域の雰囲気、環境、例えば、被電離ガスの種類やガス圧（密度）等だけでなく、例えば、特に、発生、照射空間の清浄度、さらには介在する被電離気体の温度等も最初の電子ビームパルス１１の発生時と出来るだけ同一の状態として、発生を繰り返えさせようとするものである。
【００３７】
そして、そのための手法の１つとして図示実施例では、電子ビームの発生、照射に使用しているアルゴン等の電離用気体又はその他の混合物であっても良い希ガス、加圧窒素（Ｎ２）ガス、好ましくは、例えば、液体窒素をガス源とする低温窒素ガス、または加圧空気等の清浄用気体の噴射または吸入口１３Ａを管路に沿って有するパイプの環状体１３を、好ましくは、図示のように電子銃部１Ａの基端部と開放前方の被照射体１２の周りとの一方または両方に設け、制御可能な開閉バルブ１５Ｂを介し前記電離用気体の供給源１５に接続して電離用気体の噴射装置１５Ａを構成させるか、又は同じ制御可能な開閉バルブ２０Ｂを介して前記したような被電離気体以外の清浄用気体の供給源２０に接続して清浄用気体の噴射装置２０Ａを構成させるものである。なお、供給源２０に付設されることがあるレギュレータやドライヤ等は図示が省略されている。
【００３８】
そして、図示実施例では、電子銃部１Ａの開口直下にある被照射体１2の周りに清浄用気体の噴射又は吸入用のパイプから成る環状体１３を配置し、カソード８廻りに配置した清浄用気体の噴射に対応して、開閉バルブ２５Ａと排気手段２５Ｂとの組合せからなる排気装置２５により清浄用気体を電子銃部１Ａを縦方向に噴射流動させた後、急速に排気し、最初に電子ビームを生成、照射した時とほぼ同一の環境、条件を電子銃部１Ａ内において再現させて、クレータやツブツブの生成のない表面処理を実現させる。なお、電子銃部１Ａ内における清浄用気体の流動の方向は上述とは逆の上昇流であっても良い。また、図示では、下方の電子銃部１Ａ開口廻りに設置した環状体１３を含む排気装置２５は本件真空装置に基本の真空排気システム（ポンプ２、３）に排気を依存する場合がある外、場合によっては、真空ハウジング１の加工処理函体部１Ｂに装置されている被照射体１２の出し入れ扇１Ｃおよび場合によりその開閉制御に替えるか共用することもできる。この場合、カソード８廻りの清浄用気体の噴射ノズル１３からの噴射後一呼吸を置いて前記扇１Ｃを開き、該扇開口からの内部流体の噴出開始確認後、前記噴射ノズル１３の噴射停止後、扇１Ｃを閉じるように操作すれば良く、ケースに応じて切換え、又は作動させて、より短時間で、ハウジング内、特に電子銃部１Ａ内の目的とする清浄の作用効果を生じさせるように、カソード８廻りの噴射ノズル１３と扇１Ｃ開閉とを組合わせ共働させることができる。
【００３９】
図１中における２２はＣＮＣ制御装置で、入力装置２２Ａ、プログラム制御装置２２Ｂ、外部の記憶装置や、表示装置２２Ｄを有し、ｘｙ及びｚ等のテーブル用の軸移動装置２３や、流量調整弁４、２Ａ、３Ａ及び開閉バルブ１５Ｂ、２０Ｂの切換選択及び開閉軸作動装置の機能装置２４、及び、前述真空ハウジング１の扇１Ｃの開閉や開閉バルブ２５Ａや真空用排気機器２５Ｂ用の付加機能装置２２Ｃを設けることにより、前述した目的とする電子ビームパルス１１の発生、照射後の次の電子ビームパルスの発生、照射に臨んでの真空ハウジング１内、特に電子銃部１Ａ内の雰囲気、環境を従来のような単なる被電離気体のガス圧（濃度）だけでなく、電極６、８や被照射体１２及びその他から発生残存する各種イオンや粉塵、さらには、介在ガス濃度から温度等を初期条件と同一に近いコンディショニングをして次の電子ビームのパルスを発生させることができるので、後続する電子ビームのパルスによってクレータやツブツブを生じさせることなく表面改質を行うことが出来る。
【００４０】
図２は、本発明の第２の実施例装置の概略の機能と構成を説明するための実施例正断面図で、本実施例の場合には前述図１の実施例装置の場合よりも、さらに強く、目的とする表面改質を只１回の電子ビームパルスの照射で行なうことにより確実に目的通りの改質をした金型等をほぼ予定した時間通りに行なえるように構成した装置の場合であって、第１回目の電子ビームパルスの発生、照射の後に、第２の付加的乃至は補助的電子ビームのパルスの照射が必要になった時に、従来の繰り返し照射の時間間隔に近い、短い時間間隔の後に、綺麗乃至は清浄な空間雰囲気の電子銃内で発生させた電子ビームパルスを照射して表面改質を完了させることができるようにしたものである。
【００４１】
図に於いて、真空ハウジング１及びその加工処理函体部１Ｂは、図示の如く図１に示した装置に比較して少なくとも水平一軸方向（図面上左右方向）に伸長して延在するように構成され、この伸長、延在部分の内部には、前記１軸方向に被照射体１２を設置したテーブル１４を位置決め移動させる駆動の源、例えば、リニアモータの固定子を取り付けて有するテーブルベース１９Ａが伸長して構成されていると共に前記伸長して延在するように構成された加工処理函体部１Ｂには、通常電子銃部１Ａとして説明した第１の電子銃部１Ａと実質上同一か、又は同一の電子ビームパルスを発生、照射するのに必須の基本の構成要素を有して構成され第２の電子銃部１Ａ’が、前記一軸方向に前記第１の電子銃部１Ａに対し所定の間隔を置いて設けられる。
【００４２】
この第２の電子銃部１Ａ’に対しては、前記テーブルベース１９Ａに対して前記一軸方向に位置決め移動可能に、リニアモータの可動子を配して設けられたラム１９Ｂ上のテーブル１４を指令操作によって移動させることにより、被照射体１２を第２の電子銃部１Ａ’により発生する電子ビームのパルスの照射を受けることができるものであり、また、この第２の電子銃部１Ａ’による電子ビームパルスの発生、照射は、第１の電子銃部１Ａによる発生、照射の電子ビームパルスによる表面改質等が充分でないとか、又はより良く完成させるために、第１の電子ビームパルスの発生、照射後に殆んど時間を置かず作動させられるものの、常時は使用の用に供されることがないものであるから、この第２の電子銃部１Ａ’のソレノイド励磁用電源１６、アノード電極６とテーブル１４間に印加されるアノードプラズマ生成電源１７、及びカソード電極８とテーブル１４間に印加される電子ビーム生成、加速用の高電圧コンデンサパルス電源１８は、図示のように、第１の電子銃部１Ａに対する各電源１６、１７、１８が夫々切換スイッチ１６Ｂ、１７Ｂ、１８Ｂにより切換えられて使用されるものである。
【００４３】
このように装置を構成しておくと、真空ハウジング１の内容積が大きくなるところから、設けられている真空引きシステムの能力によっては、電子ビームパルスの照射開始迄に余分の時間と稼動を要することとなるが、予定し設定した一回の電子ビームパルスの発生、照射で表面改質の効果が充分達成等されず追加の照射が必要とされた場合に、直ぐに処理品を必要とする等の理由から、単なる直ぐ後に続く繰り返し照射をしたのでは、クレータやツブツブの発生により、結局所望とする高品質品が得られなくなる等の齟齬を生じさせたりしていたのであるが、之が本発明の装置を備えていれば、第１の電子銃部１Ａによる電子ビームパルスの照射後、充分な表面改質のために追加の電子ビームパルスの照射が必要と検知されたときには前記１軸方向のリニアモータ等の駆動装置によりテーブル１４を第２の電子銃部１Ａ’に移動位置決めすると共に、電子ビーム発生のための各電源１６、１７、１８を夫々スイッチ１６Ｂ、１７Ｂ、１８Ｂにより切換えることにより一発を限度として電子ビームの発生に未使用の清浄な環境で、第２の電子ビームのパルスを発生させて表面改質に供し、クレータやツブツブ等のない所望の表面改質済の被照射体１２を最初の電子ビーム照射から時間を置かずに提供でき、スケジュール通りに作業や機械稼動を進めることができる。この場合、さらに追加の電子ビームパルスの照射が必要な場合には、前述図１等により説明した清浄気体等の噴射又は供給による真空ハウジング１内の被電離気体の入替、そして清浄、或いはさらに冷却等のハウジング内空間の環境コンディショニングが必要なこと当然である。
【産業上の利用可能性】
【００４４】
本発明は、断面積が大きくエネルギ密度の小さい電子ビームのパルスを利用する表面改質の実用化への道を拓くものである。
【図面の簡単な説明】
【００４５】
【図１】本発明の一実施例装置の正断面説明図。
【図２】本発明の異なる他の実施例装置の正断面説明図。
【図３】従来例装置の概略構成を説明する装置の正断面図。
【符号の説明】
【００４６】
１    ハウジング
１Ａ  電子銃部
１Ａ’第２の電子銃部
１Ｂ  加工処理函体部
１Ｃ  扇
２    スクロールポンプ
３    ターボ分子ポンプ
４    流量調整弁
５    ソレノイド
６    アノードプラズマ生成電極
７    陽極プラズマ
８    電界放射カソード
９    カソードプラズマ
１１  電子ビームパルス
１２  被照射体（ワーク）
１３  気体給排用パイプ環状体
１４  テーブル
１５  電離性気体
１５Ｂ  開閉バルブ
１６  ソレノイド励磁パルス電源
１７  アノードプラズマ用パルス電源
１８  加速電圧用カソードパルス電源
１９  水平２軸移動装置
２０  清浄用気体供給源
２０Ａ  清浄用気体供給装置
２０Ｂ  開閉バルブ
２２  ＣＮＣ制御装置
２２Ａ  入力装置
２２Ｂ  プログラム制御装置
２２Ｃ  追加機能駆動装置
２２Ｄ  表示装置
２２Ｅ  指令出力装置
２３  軸移動駆動装置
２４  機能駆動装置
２５  排気装置
２５Ａ  開閉バルブ
２５Ｂ  排気手段
【図１】
2006344387.tif 000003
【図２】
2006344387.tif 000004
【図３】
2006344387.tif 000005